(57)【要約】【課題】電源がオフの端末装置が暗所に置かれているような状況であっても、その端末装置を容易に見つけ出せるようにする。【解決手段】端末装置が、入射光を電力に変換して太陽光二次電池に蓄電する太陽光パネルを備える。また、端末装置が、光センサから入力した検出信号に基づいて主電池からの電力供給に代えて太陽光二次電池からの電力供給を受けることにより発光する発光部を備える。【選択図】図１
2013162706.tif 000002
【特許請求の範囲】
【請求項１】
入射光を電力に変換して光起電力蓄電装置に蓄電する光起電力発生装置と、
前記入射光の検出信号に基づいて主電池からの電力供給に代えて前記光起電力蓄電装置からの電力供給を受けることにより発光する発光部と、
を備えることを特徴とする端末装置。
【請求項２】
前記発光部は、前記入射光を検出した光センサから入力した検出信号に基づいて主電池からの電力供給に代えて前記光起電力蓄電装置からの電力供給を受けることにより発光する
ことを特徴とする請求項１に記載の端末装置。
【請求項３】
前記主電池は、電源がオンのときに電力を供給し、
光起電力発生装置は、入射光を電力に変換して前記光起電力蓄電装置に蓄電し、
前記光センサは、電力が供給されることにより、入射される光量に応じた検出信号を出力し、
前記発光部は、電力が供給されることにより発光し、
電源がオフのときに前記光起電力蓄電装置に蓄積された電力を前記光センサに供給する電力供給部と、
前記光センサから出力される検出信号に基づいて、前記発光部に対する前記光起電力蓄電装置に蓄積された電力の供給と停止を切り替える駆動部と
を備えることを特徴とする請求項２に記載の端末装置。
【請求項４】
前記駆動部は、
前記検出信号により示される光量が基準値未満である場合に前記発光部に対して前記光起電力蓄電装置に蓄積された電力の供給を行い、前記検出信号により示される光量が基準値以上である場合に前記発光部に対して前記光起電力蓄電装置に蓄積された電力の供給を停止する
ことを特徴とする請求項３に記載の端末装置。
【請求項５】
前記電力供給部は、
電源供給設定データが前記光起電力蓄電装置に蓄積された電力を供給すべきことを示している場合に、前記光起電力蓄電装置に蓄積された電力を前記光センサに供給し、電源供給設定データが前記光起電力蓄電装置に蓄積された電力を供給すべきでないことを示している場合に、前記光起電力蓄電装置に蓄積された電力を前記光センサに供給しないように制御する
ことを特徴とする請求項３または請求項４に記載の端末装置。
【請求項６】
入射光を電力に変換して光起電力蓄電装置に蓄電し、
前記入射光の検出信号に基づいて主電池からの電力供給に代えて前記光起電力蓄電装置からの電力供給へ切り替えることにより、当該光起電力蓄電装置から電力供給して発光部を発光する
ことを特徴とする発光駆動方法。
【発明の詳細な説明】
【技術分野】
【０００１】
本発明は、端末装置と端末装置における発光駆動方法に関する。
【背景技術】
【０００２】
ヒンジ部を介して接続された操作部本体と液晶表示部本体を備える折畳み式携帯電話において、液晶表示部本体の外表面にソーラーパネルを配置し、操作部本体の端面周縁にＬＥＤ（Light Emitting Diode）ライトを配置するものが知られている。当該携帯電話においては、ＬＥＤライトを点灯させるためのＬＥＤライト点灯用スイッチをヒンジ部の軸端に設けるというものである（例えば、特許文献１参照）。これにより、携帯電話を懐中電灯として使用することが可能となる。また、通常の充電池とともに、太陽電池の電力も利用できるために、ＬＥＤを照明させる時間を長持ちさせることができる。
【先行技術文献】
【特許文献】
【０００３】
【特許文献１】登録実用新案第３１１８５８２号公報
【発明の概要】
【発明が解決しようとする課題】
【０００４】
上記特許文献１においては、携帯電話が常時身につけているか身体の近辺に置かれているものであるために、例えば被災地などで停電の状態にあるときにすぐに懐中電灯として機能させることができることをその利点としている。
【０００５】
しかし、携帯電話がどこにあるのか分からずに探し回るというような状況はしばしば起こるものである。このようなときに、携帯電話の電源がオンとなってさえいれば、例えば他の電話により呼び出すことにより、その呼び出し音やバイブレーションの音などを頼りにして探し出すことはできる。
【０００６】
ただし、電源がオフの状態では、上記のように他の電話から呼び出すこともできないことになる。周囲が明るければなんとか探し出すことも可能であるが、周囲が暗い状況では携帯電話を見つけ出すことは相当に難しくなる。
【０００７】
そこで本発明は、上述の課題を解決することのできる端末装置、端末装置における発光駆動方法を提供すること目的とする。
【課題を解決するための手段】
【０００８】
上記目的を達成するために、本発明は、入射光を電力に変換して光起電力蓄電装置に蓄電する光起電力発生装置と、前記入射光の検出信号に基づいて主電池からの電力供給に代えて前記光起電力蓄電装置からの電力供給を受けることにより発光する発光部と、を備えることを特徴とする端末装置である。
【０００９】
また本発明は、入射光を電力に変換して光起電力蓄電装置に蓄電し、前記入射光の検出信号に基づいて主電池からの電力供給に代えて前記光起電力蓄電装置からの電力供給へ切り替えることにより、当該光起電力蓄電装置から電力供給して発光部を発光することを特徴とする発光駆動方法である。
【発明の効果】
【００１０】
本発明によれば、電源がオフの端末装置が暗所に置かれているような状況であっても、その端末装置を容易に見つけ出すことが出来るという効果が得られる。
【図面の簡単な説明】
【００１１】
【図１】本発明の実施形態における携帯電話の外観例を示す図である。
【図２】本実施形態における携帯電話の構成例を示す図である。
【図３】本実施形態における駆動部の構成例を示す図である。
【図４】本実施形態の携帯電話が電源オフ時において発光部を駆動制御するための動作手順例を示す図である。
【発明を実施するための形態】
【００１２】
図１は、本実施形態における携帯電話（端末装置）１００の外観例を示している。図１（ａ）は、携帯電話１００の前面を示す正面図である。図１（ｂ）は、携帯電話１００の背面を示す背面図である。図１（ｃ）は、携帯電話１００の上面を示す平面図である。
【００１３】
図１（ａ）に示すように、携帯電話１００の前面パネルにおいては、表示部１１０が配置される。また、その表示部１１０の上に光センサ１１１が配置される。また、携帯電話１００の背面においては、図１（ｂ）に示すように太陽光パネル１１５ａが配置される。また、携帯電話１００の上面部においては、図１（ｃ）に示すように発光部１１２が備えられる。
【００１４】
表示部１１０は、携帯電話１００の動作に応じて各種の画像が表示される。また、この表示部１１０は、例えばタッチパネルと組み合わされており、この表示部１１０に対して指を触れるなどしてタッチ操作やスライド操作を行うことにより、携帯電話１００に対する各種の操作を行うことができる。
【００１５】
光センサ１１１は、電力が供給されることにより、入射される光量に応じた検出信号を出力するように動作する。
【００１６】
発光部１１２は、電力が供給されることにより発光する。この発光部１１２は、例えばＬＥＤ（Light Emitting Diode）などで構成されるが、ＬＥＤ以外の発光体により構成されるようにしてもよい。なお、この発光部１１２は、例えば暗所において発光するように駆動される。これにより、暗所において携帯電話１００を容易に探し出せる。また、携帯電話１００においては、各種の動作に応じて発光するようにされた他のＬＥＤなどを備えるが、ここでは、これらの図示について省略している。
【００１７】
太陽光パネル１１５ａ（光起電力発生装置）は、携帯電話１００が内蔵する太陽光二次電池と電気的に接続されており、入射された外光を電力に変換する装置である。この太陽光パネル１１５ａにより得られた電力は太陽光二次電池において蓄電される。
【００１８】
図２は、本実施形態における携帯電話１００の構成例を示している。なお、この図において、図１と同一部分には同一符号を付して説明を省略する。この図に示す携帯電話１００は、制御部１０１、記憶部１０２、送受信部１０３、アンテナ１０４、送受信データ処理部１０５、通話音声処理部１０６、マイクロフォン１０７、スピーカ１０８、操作部１０９、表示部１１０を備える。また、携帯電話１００は、光センサ１１１、発光部１１２、駆動部１１３、リチウムイオン電池（主電池）１１４、太陽光二次電池１１５および電源部１１６を備える。
【００１９】
制御部１０１は、ＣＰＵ（Central Processing Unit）およびＲＡＭ（Random Access Memory）などから成り、記憶部１０２に記憶されるプログラムを実行することにより携帯電話１００としての動作を実現するための各種制御を実行する。
【００２０】
記憶部１０２は、例えばフラッシュメモリやＨＤＤ（Hard Disc Drive）などで構成され、制御部１０１におけるＣＰＵが実行するプログラムや各種設定データが記憶される。
【００２１】
送受信部１０３は、アンテナ１０４にて電波を受信して得られた信号を復調する。また、送受信部１０３は、送受信データ処理部１０５または通話音声処理部１０６から出力された送信信号により変調を行い、変調信号をアンテナ１０４から送出する。
【００２２】
送受信データ処理部１０５は、送受信部１０３にて復調された受信信号が例えばアプリケーションプログラムで利用するデータである場合に、パケット形式の受信信号からデータを抽出する。制御部１０１は、送受信データ処理部１０５により抽出されたデータを入力して、そのデータに応じた所定の処理を実行する。これにより、例えば、受信したウェブサイトのデータを表示部１１０に表示することなどが可能となる。また、送受信データ処理部１０５は、例えば制御部１０１の制御によってネットワーク経由で送信すべきデータを受け取ると、パケット化などの所定の処理を施して送受信部１０３に渡す。
【００２３】
通話音声処理部１０６は、送受信部１０３にて復調された受信信号が例えば受話音声データである場合には、この音声データをデコードしてスピーカ１０８から出力する。また、通話音声処理部１０６は、マイクロフォン１０７から入力された送話音声の信号について所定の圧縮処理等を含むエンコードなどの処理を施して音声データに変換し、送受信部１０３に出力する。
【００２４】
操作部１０９は、携帯電話１００において備えられる各種操作子を一括して示している。なお、表示部１１０がタッチパネルと組み合わされている場合には、このタッチパネルも操作部１０９に含まれる。制御部１０１は、操作部１０９における操作子に対して行われた操作に応じた所定の動作となるように制御を行う。
【００２５】
表示部１１０は、制御部１０１の制御に応じて所定の画像が表示される。例えば制御部１０１によりウェブブラウザ機能がアクティブとなっている場合には、表示部１１０の表示画面においてウェブブラウザの画像が表示される。
【００２６】
光センサ１１１は、図１（ａ）に示したように、例えば携帯電話１００の前面パネルにおいて配置され、検出した入射光量に応じた検出信号を出力する。この検出信号は、制御部１０１と駆動部１１３とに分岐して出力されるようになっている。また、この光センサは、電源部１１６から供給される電源電圧Ｖｄｄ１により、上記のように入射光量を検出し、この検出した入射光量に応じた検出信号を出力するように動作することができる。なお、光センサ１１１は、携帯電話１００の前面パネル以外の箇所に配置されるようにしてもよい。
【００２７】
発光部１１２は、図１（ｃ）に示したように、例えば携帯電話１００の筐体の上面において配置される。この発光部１１２は、電源部１１６から駆動部１１３を経由して供給される電源電圧Ｖｄｄ２により発光するように駆動される。なお、発光部１１２は、携帯電話１００の筐体の上面以外の箇所に配置されるようにしてもよい。
【００２８】
駆動部１１３は、光センサ１１１から出力される検出信号に基づいて、発光部１１２に対する太陽光二次電池１１５の電力（電源電圧Ｖｄｄ２）の供給と停止を切り替える。
【００２９】
リチウムイオン電池（主電池）１１４は、電源がオンのときに携帯電話１００における各部に供給すべき電源電圧の元となる電力を供給する。なお、主電池としてリチウムイオン電池１１４以外の種類の電池を利用するようにしてもよい。太陽光二次電池１１５（光起電力蓄電装置）は、図１（ｂ）に示した太陽光パネル１１５ａと電気的に接続され、この太陽光パネル１１５ａにて太陽光から変換して得た電力を蓄電する。なお太陽光二次電池１１５は、太陽光パネル１１５ａから出力される電力を蓄積することができる蓄電装置であれば、どの様な蓄電装置でもよい。
【００３０】
電源部１１６は、電源がオンのときには、リチウムイオン電池１１４からの電力を入力し、例えば所定の電圧値による電源電圧Ｖｄｄ１からＶｄｄｎを生成して出力する。電源電圧Ｖｄｄ１からＶｄｄｎは、それぞれ、携帯電話１００における所定の回路部な素子などに供給される。ここでは、電源電圧Ｖｄｄ１からＶｄｄｎのうち、電源電圧Ｖｄｄ１は光センサ１１１に供給され、電源電圧Ｖｄｄ２は駆動部１１３経由で発光部１１２に供給されるものとしている。
【００３１】
また、電源部（電力供給部）１１６は、電源がオフのときには太陽光二次電池１１５の蓄電電力に基づいて電源電圧Ｖｄｄ１を光センサ１１１に供給する。また、同じく電源部１１６は、電源がオフのときには、太陽光二次電池１１５の蓄電電力に基づいて電源電圧Ｖｄｄ２を出力する。
【００３２】
なお、電源部１１６は、電源供給設定データ１１６ａを保持している。電源供給設定データ１１６ａは、上記のように電源がオフのときに太陽光二次電池１１５の蓄電電力を供給すべきか否かを示すデータである。この電源供給設定データ１１６ａの内容は、例えば予めの設定操作などに応じて、制御部１０１が設定する。また、電源供給設定データ１１６ａは、例えば１ビットのデータとされ、電源部１１６におけるレジスタにて保持することが考えられる。
【００３３】
上記構成においては、携帯電話１００の電源がオフとされて、電源部１１６からのリチウムイオン電池１１４の電力を元とする電源電圧の供給が停止されたとしても、太陽光二次電池１１５の電力を元として、電源電圧Ｖｄｄ１とＶｄｄ２の供給が行われる。これにより、光センサ１１１は、携帯電話１００の電源がオフの状態において、電源電圧Ｖｄｄ１の供給を受けて入射光量を検出し、その検出した光量に応じた検出信号を出力するように動作する。また、駆動部１１３は、上記検出信号に基づいて、発光部１１２に対する電源電圧Ｖｄｄ２の供給、停止を切り替えることで、発光部１１２の点灯と消灯の状態を切り替えることができる。
【００３４】
図３は、駆動部１１３の構成例を示している。この図に示す駆動部１１３は、比較器１３１とスイッチ１３２から成る。比較器１３１は、光センサ１１１から出力される検出信号と基準値Ｖｒｅｆを比較し、検出信号が基準値Ｖｒｅｆ以上であればＬレベルを出力し、検出信号が基準値Ｖｒｅｆ未満であればＨレベルを出力する。
【００３５】
また、スイッチ１３２は、電源電圧Ｖｄｄ２が発光部１１２に入力される経路の途中に挿入されている。このスイッチ１３２は、比較器１３１の出力がＬレベルではオフで、Ｈレベルではオンとなるように動作する。
【００３６】
上記構成により、駆動部１１３は、光センサ１１１の検出信号が基準値Ｖｒｅｆ以上である場合には、発光部１１２に対する電源電圧Ｖｄｄ２の供給を停止するように動作する。これにより、発光部１１２は発光しない。これに対して、駆動部１１３は、光センサ１１１の検出信号が基準値Ｖｒｅｆ未満である場合には、発光部１１２に対して電源電圧Ｖｄｄ２を供給する。これにより、発光部１１２が発光する状態となる。
【００３７】
ここで、光センサ１１１の検出信号が基準値Ｖｒｅｆ未満である状態は、例えば周囲が見えない程度に暗い状態に対応する。したがって、発光部１１２は、周囲が明るければ発光せず、周囲が暗い状態となるのに応じて発光するように動作する。
【００３８】
このように、本実施形態においては、携帯電話１００の電源がオフの状態であっても、太陽光二次電池１１５の蓄電電力を利用して、携帯電話１００の周囲が暗い状態にあれば発光部１１２が発光する。これにより、携帯電話１００が暗所に置かれているときには発光部１１２が発光することになるので、暗い状態の中で携帯電話１００を探し出すことが容易となる。
【００３９】
また、上記のように発光部１１２を発光駆動する構成は、制御部１０１によるソフトウェアによる制御ではなく、電源部（電力供給部）１１６と駆動部１１３のハードウェアによる動作で実現されている。これにより、電源がオフとされている状態に係わらず、周囲の明るさに応じて発光部１１２の発光と非発光を制御することが可能となっているものである。
【００４０】
図４は、電源がオフの状態において発光部１１２の発光を制御するために電源部１１６と駆動部１１３が実行する動作手順例を示している。まず、電源部１１６は、電源がオンの状態から電源がオフとなるのを待機している（ステップＳ１０１−ＮＯ）。そして、電源がオフとなるのに応じて（ステップＳ１０１−ＹＥＳ）、電源部１１６は、太陽光二次電池１１５において蓄電容量（残容量）が有るか否かについて判定する（ステップＳ１０２）。
【００４１】
ここで、蓄電容量が有ると判定した場合（ステップＳ１０２−ＹＥＳ）、電源部１１６は、さらに電源供給設定データ１１６ａが太陽光二次電池１１５の電力を供給すべきことを示しているか否かについて判定する（ステップＳ１０３）。電源供給設定データ１１６ａが太陽光二次電池１１５の電力を供給すべきことを示している場合（ステップＳ１０３−ＹＥＳ）、電源部１１６は、光センサ１１１に対して太陽光二次電池１１５の蓄電電力に基づいて電源電圧Ｖｄｄ１を供給する（ステップＳ１０４）。これにより、光センサ１１１が動作する。
【００４２】
上記のように光センサ１１１が動作している状態において、駆動部１１３は、光センサ１１１が暗状態に対応する検出信号を出力しているか否かについて判定する（ステップＳ１０５）。この判定は、比較器１３１の動作に相当する。
【００４３】
そして、光センサ１１１が暗状態に対応する検出信号を出力している場合（ステップＳ１０５−ＹＥＳ）、つまり、比較器１３１に入力される検出信号が基準値Ｖｒｅｆ未満である場合、駆動部１１３は、以下の動作を実行する。つまり、駆動部１１３は、太陽光二次電池１１５の蓄電電力に基づいて電源電圧Ｖｄｄ２を発光部１１２に対して供給する（ステップＳ１０６）。これは、比較器１３１がＨレベルを出力してスイッチ１３２をオンとする動作に相当する。これにより、発光部１１２は、暗所において発光することになる。
【００４４】
一方、光センサ１１１の検出信号が基準値Ｖｒｅｆ以上で暗状態に対応していない場合（ステップＳ１０５−ＮＯ）、駆動部１１３は、発光部１１２に対する太陽光二次電池１１５の蓄電電力に基づく電源電圧Ｖｄｄ２の供給を停止する（ステップＳ１０７）。これは、比較器１３１がＬレベルを出力してスイッチ１３２をオフとする動作に相当する。これにより、発光部１１２は、明るい場所において発光しないようにされる。
【００４５】
また、駆動部１１３は、太陽光二次電池１１５の蓄電容量が無かった場合にも（ステップＳ１０２−ＮＯ）、発光部１１２に対する太陽光二次電池１１５の蓄電電力に基づく電源電圧Ｖｄｄ２の供給を停止する（ステップＳ１０７）。また、駆動部１１３は、電源供給設定データ１１６ａが太陽光二次電池１１５を供給すべきでないことを示している場合にも（ステップＳ１０３−ＮＯ）、発光部１１２に対する太陽光二次電池１１５の蓄電電力に基づく電源電圧Ｖｄｄ２の供給を停止する（ステップＳ１０７）。
【００４６】
なお、携帯電話１００は、電源がオンの状態においては、光センサ１１１の検出信号に基づいて上記のように周囲が暗い状態において発光部１１２を発光させる制御を同様に行わせることができる。この際には、太陽光二次電池１１５の蓄電電力ではなく、リチウムイオン電池１１４の電力を元とする電源電圧Ｖｄｄ１、Ｖｄｄ２により光センサ１１１、発光部１１２および駆動部１１３が動作する。
【００４７】
また、本実施形態の構成は、携帯電話のほか、例えばスマートフォン、ゲーム機、タブレットＰＣ、ノートＰＣ、ポータブルオーディオプレーヤなどの携帯型の各種端末装置に適用して有用である。なおスマートフォンの様に、一面が、表示部兼入力部となっている端末装置である場合、太陽光パネル１１５ａは、表示部１１０の背面にあっても良い。
【００４８】
以下に携帯電話の変形例について説明する。
図２で示した携帯電話１００では、太陽光パネル１１５ａと光センサ１１１とを併用しているが、光センサ１１１の構成を省略し、太陽光パネル１１５ａからの電力によって、直接、図３で示すスイッチ１３２のＯＮ，ＯＦＦを制御するようにしてもよい。
この場合、まず、発光部１１２は、スイッチ１３２を介してリチウムイオン電池１１４と接続されているものとする。そして、スイッチ１３２は、太陽光パネル１１５ａが入射光を検出している時には当該太陽光パネル１１５ａからの電力を受けて動作する回路（駆動部１１３）によってＯＦＦとなり、太陽光パネル１１５ａが入射光を検出していない時（または入射光の強度が所定の閾値未満となった時）には当該太陽光パネル１１５ａからの電力を受けて動作する回路（駆動部１１３）によってＯＮとなる。これにより、太陽光パネル１１５ａが光を受けている時には発光部１１２は発光せず、太陽光パネル１１５ａが光を受けていない時（または当該光の強度が所定の閾値未満となった時）には発光部１１２は発光する。なお、この場合の携帯電話１１０の構成は、図３において光センサ１１１が太陽光パネル１１５ａに代わったものとなる。このとき太陽光パネル１１５ａには電源部１１６から供給される電源電圧Ｖｄｄ１は入力されなくてよい。また電源部１１６は、電源ＯＦＦされたとしても、駆動部１１３に対してリチウムイオン電池１１４からの電力供給し続ける構成が必要となる。
このような構成とすることで、光センサ１１１を携帯電話１００に備えなくとも、上述と同様の効果が得られる。
【００４９】
なおこの場合の太陽光パネル１１５ａ（太陽電池１１５に相当）は、既に市販されている携帯端末１００の様に、リチウム電池を充電することを兼ねていても良い。また、スイッチ１３２は、ノーマルクローズ（通常時ＯＮ、外部からの制御信号によりＯＦＦになる）タイプのスイッチであっても良い。例えば、太陽光パネル１１５ａにあたる光量が減少して太陽光パネル１１５ａの発生起電力が減少すると、太陽光パネル１１５ａからの電力を受けて動作する回路（駆動部１１３）が動作を停止し、ノーマルクローズタイプのスイッチへの制御信号が止まり、ノーマルクローズタイプのスイッチが自己復帰してＯＮになる。この場合、スイッチ１３２は、ノーマルクローズタイプの、リードスイッチやリレーなどのような機械的スイッチであっても良い。
【００５０】
また、太陽光パネル１１５ａの発生起電力が、太陽光パネル１１５ａからの電力を受けて動作する回路（駆動部１１３）がスイッチ１３２を駆動できる下限以上で、かつ、下限に近い所定範囲内に入った場合、スイッチを動作させるようにしてもよい。
【００５１】
上記の実施形態の一部又は全部は、以下の付記のようにも記載されるが、以下には限られない。
【００５２】
（付記１）
入射光を電力に変換して光起電力蓄電装置に蓄電する光起電力発生装置と、
前記入射光の検出信号に基づいて主電池からの電力供給に代えて前記光起電力蓄電装置からの電力供給を受けることにより発光する発光部と、
を備えることを特徴とする端末装置。
【００５３】
（付記２）前記発光部は、前記入射光を検出した光センサから入力した検出信号に基づいて主電池からの電力供給に代えて前記光起電力蓄電装置からの電力供給を受けることにより発光する
ことを特徴とする付記１に記載の端末装置。
【００５４】
（付記３）前記主電池は、電源がオンのときに電力を供給し、
光起電力発生装置は、入射光を電力に変換して前記光起電力蓄電装置に蓄電し、
前記光センサは、電力が供給されることにより、入射される光量に応じた検出信号を出力し、
前記発光部は、電力が供給されることにより発光し、
電源がオフのときに前記光起電力蓄電装置に蓄積された電力を前記光センサに供給する電力供給部と、
前記光センサから出力される検出信号に基づいて、前記発光部に対する前記光起電力蓄電装置に蓄積された電力の供給と停止を切り替える駆動部と
を備えることを特徴とする付記２に記載の端末装置。
【００５５】
（付記４）前記駆動部は、
前記検出信号により示される光量が基準値未満である場合に前記発光部に対して前記光起電力蓄電装置に蓄積された電力の供給を行い、前記検出信号により示される光量が基準値以上である場合に前記発光部に対して前記光起電力蓄電装置に蓄積された電力の供給を停止する
ことを特徴とする付記３に記載の端末装置。
【００５６】
（付記５）前記電力供給部は、
電源供給設定データが前記光起電力蓄電装置に蓄積された電力を供給すべきことを示している場合に、前記光起電力蓄電装置に蓄積された電力を前記光センサに供給し、電源供給設定データが前記光起電力蓄電装置に蓄積された電力を供給すべきでないことを示している場合に、前記光起電力蓄電装置に蓄積された電力を前記光センサに供給しないように制御する
ことを特徴とする付記３または付記４に記載の端末装置。
【００５７】
（付記６）入射光を電力に変換して光起電力蓄電装置に蓄電し、
前記入射光の検出信号に基づいて主電池からの電力供給に代えて前記光起電力蓄電装置からの電力供給へ切り替えることにより、当該光起電力蓄電装置から電力供給して発光部を発光する
ことを特徴とする発光駆動方法。
【符号の説明】
【００５８】
１００  携帯電話
１０１  制御部
１０２  記憶部
１０３  送受信部
１０４  アンテナ
１０５  送受信データ処理部
１０６  通話音声処理部
１０７  マイクロフォン
１０８  スピーカ
１０９  操作部
１１０  表示部
１１１  光センサ
１１２  発光部
１１３  駆動部
１１４  リチウムイオン電池
１１５  太陽光二次電池
１１５ａ  太陽光パネル
１１６  電源部
１１６ａ  電源供給設定データ
１３１  比較器
１３２  スイッチ
【図１】
2013162706.tif 000003
【図２】
2013162706.tif 000004
【図３】
2013162706.tif 000005
【図４】
2013162706.tif 000006